(57)【要約】      （修正有）【課題】上向きに大きく傾斜調節が可能で、良好な操作性と位置決め安定性を備える扇風機を提供する。【解決手段】扇風機は、支柱１と頭部２を含む。支柱は、下方に台座を備え、上方に接続頭部１２を備え、接続頭部の側方には位置決め部１３が設置され、位置決め部は弾性動作が可能な位置決め玉１３３を備える。頭部は、接合ホルダ２１を備え、接合ホルダ内にはモーター２２が設けられ、接合ホルダの前方には羽根及びガードネットが設置され、接合ホルダの下方及び後側には接続頭部１２を包接可能であり、且つ、接合ホルダを上向きに傾斜させることを可能にする収容溝２１１が設けられ、接合ホルダと接続頭部は枢着され、接合ホルダの側方には位置決めプレート２１４が設置され、位置決めプレートには位置決め玉１３３と接合可能な複数の位置決め孔２１５が円弧状に配置されている。【選択図】図１
0003229041.tif 000002
【実用新案登録請求の範囲】
【請求項１】
仰角傾斜調節が可能な扇風機であって、
下方に台座を備え、上方に接続頭部を備え、前記接続頭部の側方には位置決め部が設置され、前記位置決め部は弾性動作が可能な位置決め玉を備えている支柱と、
接合ホルダを備え、前記接合ホルダ内にはモーターが設けられ、前記接合ホルダの前方には羽根及びガードネットが設置され、前記接合ホルダの下方及び後側には前記接続頭部を包接可能であり、且つ、前記接合ホルダを上向きに傾斜させることを可能にする収容溝が設けられ、前記接合ホルダと前記接続頭部は枢着され、前記接合ホルダの側方には位置決めプレートが設置され、前記位置決めプレートには前記位置決め玉と接合可能な複数の位置決め孔が円弧状に配置されている扇風機頭部と、
を含む扇風機。
【請求項２】
前記位置決め部は、凹溝、および、ばねを備え、
前記ばねの後端は前記凹溝内に設けられ、
前記位置決め玉は前記ばねの前端に設けられている、
請求項１に記載の扇風機。
【請求項３】
前記接続頭部の両側に２つの第１枢着部を備え、
前記接合ホルダの両側には、前記接続頭部の前記第１枢着部に対応する位置に、前記第１枢着部と枢着可能な第２枢着部が設けられている、
請求項１に記載の扇風機。
【請求項４】
前記接続頭部はトーションばねをさらに含み、
前記トーションばねのコイルは前記第１枢着部上に設けられ、且つ、２つの端部を備え、
前記トーションばねのコイルの１つの端部は前記接続頭部と接合され、
前記接合ホルダの側方には、前記トーションばねのコイルのもう１つの端部と接合可能な接合溝が設けられている、
請求項３に記載の扇風機。
【考案の詳細な説明】
【技術分野】
【０００１】
本考案は主に仰角傾斜調節すなわち、上向きに傾斜角度調節が可能な扇風機に関し、特に上向きに傾斜角度調節が可能であり、且つ、良好な操作性及び位置決め安定性を備え得る扇風機に関する。
【背景技術】
【０００２】
扇風機は暑い日によく使用される電気製品である。従来の扇風機は、送風可能な範囲を広げるため、一般的に扇風機頭部を左右水平方向に揺動して往復させる設計を有し、且つ、同時に様々な位置への送風動作を提供可能になっている。しかし、扇風機の扇風機頭部が水平方向にしか揺動できないため、上向きに大きな傾斜角度で送風するようには調節できず、適用性が下がるという欠点があった。
【０００３】
上述の状況を改善するために、現在では扇風機頭部を上向きに大きく傾斜角度調節でき、且つ、空気の流通効果を高めることが可能な設計もある。しかし、その設計でも、調節後の扇風機頭部の角度を安定させて位置決めをすることができず、扇風機頭部が自重で元の傾斜角度から離れやすいという欠点があった。
【考案の概要】
【考案が解決しようとする課題】
【０００４】
本考案は、上向きに傾斜角度調節が可能であり、且つ、良好な操作性及び位置決め安定性を備える扇風機を提供することを目的としている。
【課題を解決するための手段】
【０００５】
本考案は、支柱と、扇風機頭部を含む。
支柱は下方に台座を備え、上方に接続頭部を備える。接続頭部の側方には位置決め部が設置され、位置決め部は弾性動作が可能な位置決め玉を備える。
扇風機頭部は接合ホルダを備え、接合ホルダ内にはモーターが設けられ、接合ホルダの前方には羽根及びガードネットが設置される。接合ホルダの下方及び後側には接続頭部を包接可能であり、且つ、接合ホルダを上向きに傾斜させることを可能にする収容溝が設けられる。接合ホルダと接続頭部は枢着され、接合ホルダの側方には位置決めプレートが設置され、位置決めプレートには位置決め玉と接合可能な複数の位置決め孔が円弧状に配置されている。
【０００６】
好ましくは、位置決め部は、凹溝、ばねをさらに備え、ばねの後端は凹溝内に設けられ、位置決め玉はばねの前端に設けられている。
【０００７】
好ましくは、接続頭部の両側に２つの第１枢着部をさらに備え、接合ホルダの両側には、接続頭部の第１枢着部に対応する位置に、第１枢着部と枢着可能な第２枢着部が設けられている。
【０００８】
好ましくは、接続頭部はトーションばねをさらに含み、トーションばねのコイルは第１枢着部上に設けられ、且つ、２つの端部を備える。トーションばねのコイルの１つの端部は接続頭部と接合され、接合ホルダの側方には、トーションばねのコイルのもう１つの端部と接合可能な接合溝が設けられている。
【０００９】
本考案は、扇風機頭部を仰向けにさせることができ、また仰向けに調節するときにトーションばねが省力効果を提供することができる。さらに位置決め玉は、ばねの弾性力と協働し、異なる位置決め孔及び位置決めプレートの表面に沿って移動することで跳ね動作音を具備し、且つ、調節動作の質感を向上させることができ、調節後に位置決め玉を対応する位置の位置決め孔と接合させて位置決めをすることができる。
【００１０】
本考案はまた、扇風機頭部を下へ向けるとき、トーションばねが緩衝弾性力を提供することができ、扇風機頭部が自重ですぐに下向きに振れてしまうことを防ぐことができる。それにより、良好な操作安定性を具備することができるとともに、位置決め玉が調節後の対応位置の位置決め孔と接合できるため、位置決めを安定させる効果を具備することができる。
【図面の簡単な説明】
【００１１】
【図１】本考案の部分分解斜視図である。
【図２】本考案の全体斜視図である。
【図３】本考案の部分側面図である。
【図４】本考案の図２のＡ−Ａ断面図である。
【図５】本考案の図２のＢ−Ｂ断面図である。
【図６】本考案の扇風機頭部を仰向けに調節するときの概略を示す側面図である。
【考案を実施するための形態】
【００１２】
（実施例）
図１〜図５を参照する。本考案は、支柱１、扇風機頭部２を含む。支柱１は下方に台座１１を備え、上方に接続頭部１２を備える。接続頭部１２の側方には、位置決め部１３、２つの第１枢着部１４、トーションばね１５が設置される。位置決め部１３は、凹溝１３１、ばね１３２、位置決め玉１３３を備える。ばね１３２の後端は凹溝１３１内に設けられ、位置決め玉１３３は、ばね１３２の前端に設けられている。トーションばね１５のコイル１５１は第１枢着部１４上に環装され、且つ、２つの端部１５２、１５３を備える。トーションばね１５のコイル１５１の１つの端部１５３は、接続頭部１２と接続されている。接続頭部１２内には、水平方向に揺動する揺動機構１６が設置されている。
【００１３】
扇風機頭部２は接合ホルダ２１を備える。接合ホルダ２１内にはモーター２２が設けられ、接合ホルダ２１の前方には羽根２３及びガードネット２４が設置される。接合ホルダ２１の下方及び後側には接続頭部１２を包接可能であり、且つ、接合ホルダ２１の仰角傾斜に提供可能な、すなわち、接合ホルダ２１を上向きに傾斜させることを可能にする収容溝２１１が設けられる。接合ホルダ２１の両側には、接続頭部１２の第１枢着部１４に対応する位置に、第２枢着部２１２が設けられる。そのうちの１つの第１枢着部１４と第２枢着部２１２は、回動軸２１３により枢着される。接合ホルダ２１の側方には位置決めプレート２１４が設置され、位置決めプレート２１４には、位置決め玉１３３と接合可能な複数の位置決め孔２１５が円弧状に配置される。接合ホルダ２１の側方には、トーションばね１５のコイル１５１のもう１つの端部１５２と接合可能な接合溝２１６が設けられ、且つ、扇風機頭部２に対して扇風機頭部２を仰向けにする弾性力を提供する。
【００１４】
本考案は、扇風機頭部２の接合ホルダ２１の収容溝２１１を、支柱１の上方の接続頭部１２に嵌合させ、第１枢着部１４、第２枢着部２１２を枢着させるとともに、扇風機頭部２が仰向けではないときに、位置決め玉１３３を、ばね１３２の弾性力によって位置決めプレート２１４の上方の位置決め孔２１５と接合させて位置決めをすることができる。
【００１５】
図１、図６を参照する。本考案は、扇風機頭部２を仰向けにすることができ、仰向けに調節するときにトーションばね１５が省力効果を提供することができる。さらに位置決め玉１３３は、ばね１３２の弾性力と協働し、異なる位置決め孔２１５及び位置決めプレート２１４の表面に沿って移動することで跳ね動作音を具備し、且つ、調節動作の質感を向上させることができ、調節後に位置決め玉１３３を対応する位置の位置決め孔２１５と接合させて位置決めをすることができる。
【００１６】
本考案はまた、扇風機頭部２を下へ向けるとき、トーションばね１５が緩衝弾性力を提供することができ、扇風機頭部２が自重ですぐに下向きに振れてしまうのを防ぐことができる。それにより、良好な操作安定性を具備することができるとともに、位置決め玉１３３が調節後の対応する位置の位置決め孔２１５と接合できるため、位置決めを安定させる効果を具備することができる。
【００１７】
本考案は、上述のことから、良好な上向きの傾斜角度における位置決め及び操作安定性の効果を具備することができる。ただし、上述の実施例は本考案を例示するものであり、決して本考案を限定するものではなく、本考案の精神に基づく同等の効果が得られる改変はすべて本考案の範囲に属する。
【符号の説明】
【００１８】
１        支柱
１１      台座
１２      接続頭部
１３      位置決め部
１３１    凹溝
１３２    ばね
１３３    位置決め玉
１４      第１枢着部
１５      トーションばね
１５１    コイル
１５２    端部
１５３    端部
１６      揺動機構
２        扇風機頭部
２１      接合ホルダ
２１１    収容溝
２１２    第２枢着部
２１３    回動軸
２１４    位置決めプレート
２１５    位置決め孔
２１６    接合溝
２２      モーター
２３      羽根
２４      ガードネット
【図１】
0003229041.tif 000003
【図２】
0003229041.tif 000004
【図３】
0003229041.tif 000005
【図４】
0003229041.tif 000006
【図５】
0003229041.tif 000007
【図６】
0003229041.tif 000008